(57)【要約】【課題】  本発明は、遊技者がストップボタンを違和感なく操作できるスロットマシンを提供する。【解決手段】  本発明のスロットマシンは、複数の図柄を可変表示する複数列の可変表示手段と、複数列の可変表示手段に対応して設けられ、各可変表示手段の図柄の可変表示を停止させる複数の停止操作手段と、停止操作手段の操作に基づいて可変表示手段の図柄を停止表示する停止制御手段と、可変表示手段と停止操作手段と停止制御手段とを装備した筐体を有し、停止操作手段は、斜め上方からの押圧を受けて、押圧方向に変位するように支持された操作部と、操作部を装着した面であって変位方向に対して垂直な平面を有する支持部材と、支持部材と筐体との間に装入された弾性部材、とを備えることを特徴とする。【選択図】          図７
2009261708.tif 000002
【特許請求の範囲】
【請求項１】
複数の図柄を可変表示する複数列の可変表示手段と、
前記複数列の可変表示手段に対応して設けられ、各可変表示手段の図柄の可変表示を停止させる複数の停止操作手段と、
前記停止操作手段の操作に基づいて前記可変表示手段の図柄を停止表示する停止制御手段と、
前記可変表示手段と前記停止操作手段と前記停止制御手段とを装備した筐体と、を有し、
前記停止操作手段は、
斜め上方からの押圧を受けて、前記押圧方向に変位するように支持された操作部と、
前記操作部を装着した面であって前記変位方向に対して垂直な平面を有する支持部材と、
前記支持部材と前記筐体との間に装入された弾性部材と、
を備えることを特徴とする遊技機。
【請求項２】
前記弾性部材の厚さが、上方部において下方部より薄いことを特徴とする請求項１に記載の遊技機。
【請求項３】
前記弾性部材が前記操作部を囲む形体で装入されていることを特徴とする請求項１又は請求項２に記載の遊技機。
【請求項４】
前記支持部材は、
前記斜め上方向からの押圧により変形する前記弾性部材の反発力を調整するために、上下方向にスライド可能に取り付けられている可動部と、
前記可動部を取付けるベース部と、を備え、
前記可動部に前記操作部が装着されていることを特徴とする請求項１ないし請求項３のいずれかに記載の遊技機。
【発明の詳細な説明】
【技術分野】
【０００１】
本発明は、パチスロ等の遊技機に関する。
【背景技術】
【０００２】
従来、複数の図柄がそれぞれの周面に配された複数のリールと、遊技メダルやコイン等（以下、メダル等）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部と、を備え、スタートレバーが操作されたことを検出すると、乱数値に基づいて抽籤を行い、この抽籤の結果（以下、「内部当籤役」という）とストップボタンが操作されたことを検出したタイミングとに基づいてリールの回転の停止を行う、パチスロと呼ばれる遊技機が知られている（例えば、特許文献１参照）。
【０００３】
このような遊技機において、遊技者が行う操作は、遊戯メダル等の投入、およびスタートレバーの操作、ストップボタンの操作に限られる。特に、ストップボタンの操作は頻繁に行われるので、遊技者の感じる操作性の良し悪しにより遊技機に対する好みが左右される場合がある。
【０００４】
特許文献２には、ストップボタンの取り付けられている操作パネルの角度を変化させることができるスロットマシンが開示されている。これは、遊技者の体格や遊戯中の姿勢、また好みに合わせてストップボタンの取り付け角度を変更しようとするものである。
【特許文献１】特開平０３−０７２３１３号公報
【特許文献２】特開２００５−１６０８６２号公報
【発明の開示】
【発明が解決しようとする課題】
【０００５】
しかしながら、前述した従来の遊技機では、遊技者に合わせてストップボタンの角度を変更することができるものの、操作部パネル全体を動かして調整する必要があり、頻繁に交代する遊技者が行うには操作性に難がある。また、遊技場の従業員が行うにしても負担が大きい。
【０００６】
そこで、本発明は、上述した点を鑑みてなされたものであり、遊技者がストップボタンを違和感なく操作できる遊技機を提供することを目的とする。
【課題を解決するための手段】
【０００７】
本発明の遊技機は、以下のような遊技機を提供する。
【０００８】
本発明の遊技機は、複数の図柄を可変表示する複数列の可変表示手段と、複数列の可変表示手段に対応して設けられ、各可変表示手段の図柄の可変表示を停止させる複数の停止操作手段と、停止操作手段の操作に基づいて可変表示手段の図柄を停止表示する停止制御手段と、可変表示手段と停止操作手段と停止制御手段とを装備した筐体を有し、停止操作手段は、斜め上方からの押圧を受けて、押圧方向に変位するように支持された操作部と、操作部を装着した面であって変位方向に対して垂直な平面を有する支持部材と、支持部材と筐体との間に装入された弾性部材、とを備えることを特徴とする。
【０００９】
この遊技機によれば、遊技者がストップボタンを押し下げる方向と、ストップボタンの変位する方向を一致させることにより、ストップボタンの可動部に加わる力を分散させないようにしたものである。さらに、ストップボタンの支持部を、弾性体を介して筐体に取付けることにより、スイッチの変位方向と一致しない方向に加わる力を弾性体のクッション作用で緩和することができる。これにより、遊技者は、操作する指先にフィットする操作感覚を得ることができる。
【００１０】
本発明の遊技機においては、ストップボタンの支持部と筐体の間に装入される弾性部材の厚さが、上方部において下方部より薄いことを特徴とする。これにより、ストップボタンは、斜め上方に向いた角度で装着される。遊技者の平均的な体格を考慮すると、遊技者はストップボタンをやや下向きに見下ろす姿勢で遊技を行う。したがって、ストップボタンを押す方向は、遊技者から見て斜め下方向となるのが自然であり、上記のようにストップボタンを装着することにより、遊技者の押す方向とストップボタンが変位する方向を一致させることができる。
【００１１】
また、本発明の遊技機においては、弾性部材が操作部を囲む形体で装入されていることを特徴とする。これにより、弾性体のクッション作用を違和感なく遊技者の指先に伝えることができる。
【００１２】
さらに、本発明においては、支持部材は、斜め上方向からの押圧により変形する弾性部材の反発力を調整するために、上下方向にスライド可能に取り付けられている可動部と、可動部を取付けるベース部と、を備え、可動部に前記操作部が装着されていることを特徴とする。
【００１３】
これにより、ストップボタンを押した時に、弾性体のクッション作用が強く、スイッチ全体が沈みこむように感じられる場合に、スイッチを取付けた可動部を上方にスライドさせてクッション作用を弱めることができ、逆にクッション作用が弱く、スイッチが硬く感じられたばあいには、下方向にスライドさせてクッション作用を強くすることが可能となる。
【発明の効果】
【００１４】
本発明の遊技機によれば、遊技者がストップボタンを違和感なく操作できる遊技機を提供することができる。
【発明を実施するための最良の形態】
【００１５】
本発明の遊技機に係る実施の形態について、図面を参照しながら説明する。本実施形態における遊技機は、複数の図柄を可変表示する複数列の可変表示手段である３つのリール３Ｌ、３Ｃ、３Ｒと、複数列の可変表示手段に対応して設けられ、各可変表示手段の図柄の可変表示を停止させる複数の停止操作手段であるストップボタン７Ｌ、７Ｃ、７Ｒと、を有する、所謂パチスロである（図７参照）。
【００１６】
本実施形態のパチスロは、停止操作手段であるストップボタン７Ｌ、７Ｃ、７Ｒの操作に基づいて可変表示手段である３つのリール３Ｌ、３Ｃ、３Ｒの図柄を停止表示する停止制御手段を有する。後述するように、停止制御手段は、ストップボタン７Ｌ、７Ｃ、７Ｒに対応するストップスイッチ７Ｓと、モータ駆動回路３９、リール位置検出回路５０、メインＣＰＵ３１で構成され、次のように機能する（図８参照）。ストップボタン７Ｌ、７Ｃ、７Ｒの操作によりストップスイッチ７Ｓが出す信号を受けたＣＰＵ３１は、所定のプログラムを実施することにより、リール位置検出回路５０で検出したリール３Ｌ、３Ｃ、３Ｒの回転位置を検出し、検出した回転位置に基づいてモータ駆動回路に指示を出し、リールを回転させるステッピングモータ４９Ｌ、４９Ｃ、４９Ｒを制御して、リール３Ｌ、３Ｃ、３Ｒを所定の位置に停止させる。
【００１７】
また、可変表示手段であるリール３Ｌ、３Ｃ、３Ｒ、および停止操作手段であるストップボタン７Ｌ、７Ｃ、７Ｒ、上記停止制御手段を制御してゲームを実行するゲーム制御手段は、メインＣＰＵ３１を有する主制御回路である。
【００１８】
＜パチスロの機能フロー＞
次に、図１を参照して、本実施形態におけるパチスロの機能フローについて説明する。
【００１９】
遊技者によりメダルが投入され、スタートレバー６が操作されると、予め定められた数値の範囲（例えば、０〜６５５３５）の乱数から１つの値（以下、乱数値）が抽出される。
【００２０】
内部抽籤手段１０１は、抽出された乱数値に基づいて抽籤を行い、内部当籤役を決定する。内部当籤役の決定により、後述の入賞判定ライン８ａ〜８ｅに沿って表示を行うことを許可する図柄の組合せが決定される。尚、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２１】
続いて、複数のリール３Ｌ、３Ｃ、３Ｒの回転が行われた後で、遊技者によりストップボタン７Ｌ、７Ｃ、７Ｒが押されると、リール停止制御手段１０２は、内部当籤役とストップボタン７Ｌ、７Ｃ、７Ｒが押されたタイミングとに基づいて、該当するリール３Ｌ、３Ｃ、３Ｒの回転を停止する制御を行う。
【００２２】
ここで、パチスロ１では、基本的に、ストップボタン７Ｌ、７Ｃ、７Ｒが押されたときから規定時間（１９０ｍｓｅｃ）内に、該当するリール３Ｌ、３Ｃ、３Ｒの回転を停止する制御が行われる。本実施の形態では、上記規定時間内でのリール３Ｌ、３Ｃ、３Ｒの回転に伴って移動する図柄の数を「滑り駒数」と呼び、その最大数を図柄４個分に定める。
【００２３】
リール停止制御手段１０２は、入賞に係る図柄の組合せの表示を許可する内部当籤役が決定されているときでは、上記規定時間を利用して、その図柄の組合せが入賞判定ライン８ａ〜８ｅに沿って極力表示されるようにリール３Ｌ、３Ｃ、３Ｒの回転を停止する。その一方で、内部当籤役によってその表示が許可されていない図柄の組合せについては、上記規定時間を利用して、入賞判定ライン８ａ〜８ｅに沿って表示されることがないようにリール３Ｌ、３Ｃ、３Ｒの回転を停止する。
【００２４】
こうして、複数のリール３Ｌ、３Ｃ、３Ｒの回転がすべて停止されると、入賞判定手段１０３は、入賞判定ライン８ａ〜８ｅに沿って表示された図柄の組合せが、入賞に係るものであるか否かの判定を行う。入賞に係るものであるとの判定が行われると、メダルの払い出し等の特典が遊技者に与えられる。以上のような一連の流れがパチスロ１における１回の遊技として行われる。
【００２５】
また、パチスロ１では、前述した一連の流れの中で、液晶表示装置５により行う映像の表示、各種ランプ２９により行う光の出力、スピーカ２１Ｌ、２１Ｒにより行う音の出力、或いはこれらの組合せを利用して様々な演出が行われる。
【００２６】
遊技者によりスタートレバー６が操作されると、前述の内部当籤役の決定に用いられた乱数値とは別に、演出用の乱数値（以下、演出用乱数値）が抽出される。演出用乱数値が抽出されると、演出内容決定手段１０４は、内部当籤役に対応づけられた複数種類の演出内容の中から今回実行するものを抽籤により決定する。
【００２７】
演出内容が決定されると、演出実行手段１０５は、リール３Ｌ、３Ｃ、３Ｒの回転が開始されるとき、各リール３Ｌ、３Ｃ、３Ｒの回転がそれぞれ停止されるとき、入賞の有無の判定が行われたとき等の各契機に連動させて演出の実行を進める。このように、パチスロ１では、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００２８】
パチスロの機能フローについての説明は以上である。本実施の形態におけるパチスロ１はさらに以下の特徴を有する。
【００２９】
停止操作手段であるストップボタン７Ｌ、７Ｃ、７Ｒは、斜め上方からの押圧を受けて押圧方向に変位するように支持される。図２は、パチスロ１のフロントドア１ｂの前面中央に位置する操作パネルを模式的に示した図である（図７参照）。操作パネル前面の垂直面にストップボタン７Ｌ、７Ｃ、７Ｒ、およびスタートレバー６が、並べて配置されている。遊技者は、これら操作手段を頻繁に使用して遊技を実行するので、その操作性は重要である。図２のように、本発明に係るパチスロ１では、ストップボタン７Ｌ、７Ｃ、７Ｒが、やや上向き装着されており、遊技者は、斜め上方から斜め下方に押し下げるようにボタンを操作する。これにより、ストップボタン７Ｌ、７Ｃ、７Ｒは、遊技者が押し下げた方向に変位する。
【００３０】
図３（ａ）は、ストップボタン７Ｌ、７Ｃ、７Ｒの断面を模式的に示している。ストップボタン７Ｌ、７Ｃ、７Ｒは、遊技者の操作によりボタン６１が変位する方向Ｐに対して垂直な平面６５を有する支持部材６４に装着されている。さらに支持部材６４と、操作パネル前面の垂直面である筐体６０との間に、弾性部材６６が装入されている。ストップボタン７Ｌ、７Ｃ、７Ｒのシリンダー部６２は、支持部材６４および弾性体６６、筐体６０に連通して設けられた開口６７に挿入されている。シリンダー部６２の内部には、ボタン６１を変位可能に固定するバネと変位を検知して電気信号を発信する検知部が収納されており、出力端子６３から電気信号を出力する。
【００３１】
図３（ａ）の構成においては、弾性部材６６の厚さが上方部において下方部より薄くなっている。これにより、ストップボタン７Ｌ、７Ｃ、７Ｒは斜め上方に向いて支持され、弾性部材６６のクッション作用により、遊技者がボタンを押し下げる力を緩和することができる。
【００３２】
図３（ｂ）は、ストップボタン７Ｌ、７Ｃ、７Ｒを正面から見た状態を示す模式図である。ただし、弾性部材６６の形状を示すために、支持部材６４を図示しない状態を表している。弾性部材６６は、ストップボタンのシリンダー６２を囲む形体で装入されている。これにより、支持部材６４が安定して固定され、支持部材６４に装着されたストップボタン７Ｌ、７Ｃ、７Ｒが左右にぶれる等の不安定性をなくし、遊技者に違和感を与えない。
【００３３】
図４は、別の実施態様で装着したストップボタンの断面を示す模式図である。図４の構成においては、支持部材６４が上方に向かってテーパー状の形状となっており、弾性部材６６は均一な厚さである。ストップボタンの装着状態の外観は、図３に示す構成の場合と変わらないが、弾性部材６６のクッション作用に違いが生じる。後述するように、弾性部材６６がテーパー状の形体となっている図３の構成では、ストップボタンの取り付け位置が上下に異なる場合、同じ力でボタン６１を押したとしても、弾性部材６６の変形量が異なりクッション作用に違いを生ずる。一方、図４の構成で装着したストップボタンの場合には、弾性部材６６の厚さが均一であることから、上記の違いは生じない。
【００３４】
図５（ａ）、（ｂ）は、弾性部材を分割して装入したストップボタンを示す模式図である。図５（ａ）は、ストップボタンの断面を示す模式図である。支持部材６４の上部に弾性部材６６ａが装入され、下部に弾性部材６６ｂが装入されている。図３の場合と同様に、上部に装入される弾性部材６６ａの厚みが、下部に装入される弾性部材６６ｂの厚みより薄くなっている。これにより、支持部材６４が斜め上向きに固定され、支持部材６４に装着されるボタン６１およびシリンダー６２も斜め上向きに装着されることになる。
【００３５】
図５（ｂ）は、ストップボタンを正面から見た状態を示す模式図である。支持部材６４の下に装入されている弾性部材６６ａと６６ｂの配置を示している。弾性部材６６ａを上部に、２つの弾性部材６６ｂが下部に並んで挿入され、支持部材を安定して支持できるように配置されている。このように、弾性部材を分割して配置すれば、ストップボタンのシリンダー６２を装着する場合に、弾性部材６６が邪魔にならず作業が容易となるメリットがある。また、図３に示す構成では、シリンダー６２の大きさが異なる場合に、シリンダー６２を挿入する弾性部材６６の開口の大きさを変える必要があるが、弾性部材を分割して配置する場合には、同じ弾性部材を使用できる利点がある。
【００３６】
上記の実施形態において、弾性部材の厚さを、上部で薄く、下部で厚くした図３または図５の構成の場合には、ストップボタンの装着位置が上下に異なると、ボタン６１を押した場合の弾性部材の反発力に違いが生じ、遊技者が異なる感触を持つことになる。同じ変形量であれば、弾性部材が厚い方の反発力が弱く柔らかい感触が得られるのに対し、弾性部材の厚さが薄いと反発力が強くなり硬い感触となるからである。そこで、支持部材を、上下方向にスライド可能に取り付けられる可動部と、可動部を取付けるベース部を備えるように構成し、ストップボタンを可動部に装着することにより、斜め上方向からの押圧により変形する弾性部材の反発力を調整可能として、操作時の感触を調整できるストップボタンを実現することができる。
【００３７】
図６（ａ）、（ｂ）は、装着位置を上下に変更できるストップボタンの構成を示す模式図である。図６（ａ）は、ストップボタンの断面を示す模式図である。支持部材６４は、弾性部材６６ａと2つの弾性部材６６ｂにより、筐体６０に支持されている。厚さが薄い弾性部材６６ａは上部に、厚い弾性部材６６ｂは下部に配置されている。支持部材６４には、ストップボタンのシリンダー６２に付設した鍔部６９を挟み込んでスライド可能に保持するスライド溝６８が設けられている。この構成により、シリンダー６２およびボタン６１は、図中に矢印で示した上下方向にスライドすることができる。
【００３８】
図６（ｂ）は、ストップボタンを正面から見た状態を示す模式図である。弾性部材６６ａは上部に装入され、二つの弾性部材６６ｂは、シリンダー６２のスライドの邪魔にならないように下部の両端に装入されている。
【００３９】
上記の構成により、装着位置を変更することにより、押した感触を好みに調整できるストップボタンを実現することができる。なお、ストップボタンの装着位置の移動機構は、上記の実施態様に限られる訳ではなく、技術的思想の同一の範囲内で変更して実施することも可能である。また、図３ないし図６に示したストップボタンの構成は、遊技機の構造や使用態様に合わせて選択して実施することが好ましい。
【実施例】
【００４０】
次に本発明に係るパチスロの詳細な実施例について説明する。図７は、本実施例におけるパチスロ１の外部構造を示す。
【００４１】
パチスロ１は、リールや回路基板等を収容するキャビネット１ａと、キャビネット１ａに対して開閉可能に取り付けられるフロントドア１ｂとを備える。キャビネット１ａの内部には、３つのリール３Ｌ、３Ｃ、３Ｒが横並びに設けられている。各リール３Ｌ、３Ｃ、３Ｒは、円筒状のフレームの周面に、複数の図柄（例えば２１個）が回転方向に沿って連続的に配された帯状のシートを貼り付けて構成されている。
【００４２】
フロントドア１ｂの中央には、液晶表示装置５が設けられている。液晶表示装置５は、図柄表示領域４Ｌ、４Ｃ、４Ｒを含む表示画面２３を備え、正面から見て３つのリール３Ｌ、３Ｃ、３Ｒに重畳する手前側に位置するように設けられている。図柄表示領域４Ｌ、４Ｃ、４Ｒは、３つのリール３Ｌ、３Ｃ、３Ｒのそれぞれに対応して設けられており、その背後に設けられたリール３Ｌ、３Ｃ、３Ｒを透過することが可能な構成を備えている。
【００４３】
つまり、図柄表示領域４Ｌ、４Ｃ、４Ｒは、表示窓としての機能を果たすものであり、その背後に設けられたリール３Ｌ、３Ｃ、３Ｒの回転及びその停止の動作が遊技者側から視認可能となる。また、本実施の形態では、図柄表示領域４Ｌ、４Ｃ、４Ｒを含めた表示画面２３の全体を使って、映像の表示が行われ、演出が実行される。
【００４４】
図柄表示領域４Ｌ、４Ｃ、４Ｒ（以下、表示窓）は、その背後に設けられたリール３Ｌ、３Ｃ、３Ｒの回転が停止されたとき、リール３Ｌ、３Ｃ、３Ｒの表面に配された複数種類の図柄のうち、その枠内における上段、中段及び下段の各領域にそれぞれ１個の図柄（合計で３個）を表示する。また、各表示窓４Ｌ、４Ｃ、４Ｒが有する上段、中段及び下段からなる３つの領域のうち予め定められた何れかをそれぞれ組合せてなる擬似的なラインを、入賞か否かの判定を行う対象となるライン（入賞判定ライン）として定義する。
【００４５】
本実施の形態では、各表示窓の上段を組合せてなるトップライン８ａ、各表示窓の中段を組合せてなるセンターライン８ｂ、各表示窓の下段を組合せてなるボトムライン８ｃ、左表示窓の上段、中表示窓の中段及び右表示窓の下段を組合せてなるクロスダウンライン８ｄ、左表示窓の下段、中表示窓の中段及び右表示窓の上段を組合せてなるクロスアップライン８ｅの５つを入賞判定ラインとして設けている。
【００４６】
フロントドア１ｂには、遊技者による操作の対象となる各種装置が設けられている。メダル投入口２２は、遊技者によって外部から投下されるメダルを受け入れるために設けられる。メダル投入口２２に受け入れられたメダルは、所定枚数（例えば３枚）を上限として１回の遊技に投入されることとなり、所定枚数を超えた分はパチスロ内部に預けることが可能となる（いわゆるクレジット機能）。
【００４７】
ベットボタン１２は、パチスロ内部に預けられているメダルから１回の遊技に投入する枚数を決定するために設けられる。精算ボタン１４は、パチスロ内部に預けられているメダルを外部に引き出すために設けられる。
【００４８】
フロントドア１ｂの中央下部には、操作パネルが設けられており、スタートレバー６およびストップボタン７Ｌ、７Ｃ、７Ｒが配置されている。スタートレバー６は、全てのリール３Ｌ、３Ｃ、３Ｒの回転を開始するために設けられる。ストップボタン７Ｌ、７Ｃ、７Ｒは、３つのリール３Ｌ、３Ｃ、３Ｒのそれぞれに対応づけられ、対応するリール３Ｌ、３Ｃ、３Ｒの回転を停止するために設けられる。ストップボタン７Ｌ、７Ｃ、７Ｒは、パネル前面の垂直面に対してやや上向きに装着され、操作性を向上させている。
【００４９】
７セグ表示器１８は、７セグメントＬＥＤからなり、今回の遊技に投入されたメダルの枚数（以下、投入枚数）、特典として遊技者に対して払い出すメダルの枚数（以下、払出枚数）、パチスロ内部に預けられているメダルの枚数（以下、クレジット枚数）等の情報を遊技者に対してデジタル表示する。
【００５０】
ランプ２９（ＬＥＤ等）は、演出内容に応じた点消灯のパターンにて光を出力する。スピーカ２１Ｌ、２１Ｒは、演出内容に応じた効果音や楽曲等の音を出力する。メダル払出口１５は、後述のメダル払出装置４０の駆動により排出されるメダルを外部に導く。メダル払出口１５から排出されたメダルは、メダル受皿１６に貯められる。
【００５１】
パチスロ１の構造についての説明は以上である。次に、図８及び図９を参照して、本実施の形態におけるパチスロ１が備える回路の構成について説明する。本実施の形態におけるパチスロは、主制御回路７１、副制御回路７２及びこれらと電気的に接続する周辺装置（アクチュエータ）を備える。
【００５２】
＜主制御回路＞
図８は、本実施の形態におけるパチスロ１の主制御回路７１の構成を示す。
【００５３】
主制御回路７１は、回路基板上に設置されたマイクロコンピュータ３０を主たる構成要素としている。マイクロコンピュータ３０は、ＣＰＵ（Ｃｅｎｔｒａｌ  Ｐｒｏｃｅｓｓｉｎｇ  Ｕｎｉｔ）３１（以下、メインＣＰＵ）、ＲＯＭ（Ｒｅａｄ  Ｏｎｌｙ  Ｍｅｍｏｒｙ）３２（以下、メインＲＯＭ）及びＲＡＭ（Ｒａｎｄｏｍ  Ａｃｃｅｓｓ  Ｍｅｍｏｒｙ）３３（以下、メインＲＡＭ）により構成される。
【００５４】
メインＲＯＭ３２には、メインＣＰＵ３１により実行される制御プログラム、内部抽籤テーブル等のデータテーブル、副制御回路７２に対して各種制御指令（コマンド）を送信するためのデータ等が記憶されている。メインＲＡＭ３３には、制御プログラムの実行により決定された内部当籤役等の各種データを格納する格納領域が設けられる。
【００５５】
メインＣＰＵ３１には、クロックパルス発生回路３４、分周器３５、乱数発生器３６及びサンプリング回路３７が接続されている。クロックパルス発生回路３４及び分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００５６】
マイクロコンピュータ３０の入力ポートには、スイッチ等が接続されている。メインＣＰＵ３１は、スイッチ等の入力を受けて、ステッピングモータ４９Ｌ、４９Ｃ、４９Ｒ等の周辺装置の動作を制御する。ストップスイッチ７Ｓは、３つのストップボタン７Ｌ、７Ｃ、７Ｒのそれぞれが遊技者により押されたこと（停止操作）を検出する。また、スタートスイッチ６Ｓは、スタートレバー６が遊技者により操作されたこと（開始操作）を検出する。
【００５７】
メダルセンサ２２Ｓは、メダル投入口２２に受け入れられたメダルが前述のセレクタ２６内を通過したことを検出する。また、ベットスイッチ１２Ｓは、ベットボタン１２が遊技者により押されたことを検出する。また、精算スイッチ１４Ｓは、精算ボタン１４が遊技者により押されたことを検出する。
【００５８】
マイクロコンピュータ３０により動作が制御される周辺装置としては、ステッピングモータ４９Ｌ、４９Ｃ、４９Ｒ、７セグ表示器１８及びホッパー４０がある。また、マイクロコンピュータ３０の出力ポートには、各周辺装置の動作を制御するための回路が接続されている。
【００５９】
モータ駆動回路３９は、各リール３Ｌ、３Ｃ、３Ｒに対応して設けられたステッピングモータ４９Ｌ、４９Ｃ、４９Ｒの駆動を制御する。リール位置検出回路５０は、発光部と受光部とを有する光センサにより、リール３Ｌ、３Ｃ、３Ｒが一回転したことを示すリールインデックスを各リール３Ｌ、３Ｃ、３Ｒに応じて検出する。
【００６０】
ステッピングモータ４９Ｌ、４９Ｃ、４９Ｒは、運動量がパルスの出力数に比例し、回転軸を指定された角度で停止させることが可能な構成を備えている。ステッピングモータ４９Ｌ、４９Ｃ、４９Ｒの駆動力は、所定の減速比をもったギアを介してリール３Ｌ、３Ｃ、３Ｒに伝達される。ステッピングモータ４９Ｌ、４９Ｃ、４９Ｒに対して１回のパルスが出力されるごとに、リール３Ｌ、３Ｃ、３Ｒは一定の角度で回転する。
【００６１】
メインＣＰＵ３１は、リールインデックスを検出してからステッピングモータ４９Ｌ、４９Ｃ、４９Ｒに対してパルスを出力した回数をカウントすることによって、リール３Ｌ、３Ｃ、３Ｒの回転角度（主に、リールが図柄何個分だけ回転したか）を管理し、リール３Ｌ、３Ｃ、３Ｒの表面に配された各図柄の位置を管理するようにしている。
【００６２】
表示部駆動回路４８は、７セグ表示器１８の動作を制御する。また、ホッパー駆動回路４１は、ホッパー４０の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００６３】
図９は、本実施の形態におけるパチスロ１の副制御回路の構成を示す。
【００６４】
副制御回路７２は、主制御回路７２と電気的に接続されており、主制御回路７１から送信されるコマンドに基づいて演出内容の決定や実行等の処理を行う。副制御回路７２は、基本的に、ＣＰＵ８１（以下、サブＣＰＵ）、ＲＯＭ８２（以下、サブＲＯＭ）、ＲＡＭ８３（以下、サブＲＡＭ）、レンダリングプロセッサ８４、描画用ＲＡＭ８５、ドライバ８７、ＤＳＰ８８（デジタルシグナルプロセッサ）、オーディオＲＡＭ８９及びＡ／Ｄ変換器９０及びアンプ９１を含んで構成されている。
【００６５】
サブＣＰＵ８１は、主制御回路７１から送信されたコマンドに応じて、サブＲＯＭ８２に記憶されている制御プログラムに従い、映像、音、光の出力の制御を行う。サブＲＡＭ８３は、決定された演出内容や演出データを登録する格納領域や、主制御回路７１から送信される内部当籤役等の各種データを格納する格納領域が設けられている。サブＲＯＭ８２は、基本的に、プログラム記憶領域とデータ記憶領域によって構成される。
【００６６】
プログラム記憶領域には、サブＣＰＵ８１が実行する制御プログラムが記憶されている。例えば、制御プログラムには、主制御回路７１との通信を制御するための主基板通信タスクや、演出用乱数値を抽出し、演出内容（演出データ）の決定及び登録を行うための演出登録タスク、決定した演出内容に基づいて液晶表示装置５による映像の表示を制御する描画制御タスク、ランプ２９による光の出力を制御するランプ制御タスク、スピーカ２１Ｌ、２１Ｒによる音の出力を制御する音声制御タスク等が含まれる。
【００６７】
データ記憶領域は、各種データテーブルを記憶する記憶領域、各演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するランプデータを記憶する記憶領域等が含まれている。
【００６８】
また、副制御回路７２には、その動作が制御される周辺装置として、液晶表示装置５、スピーカ２１Ｌ、２１Ｒ及びランプ２９が接続されている。
【００６９】
サブＣＰＵ８１、レンダリングプロセッサ８４、描画用ＲＡＭ８５（フレームバッファ８６を含む）及びドライバ８７は、演出内容により指定されたアニメーションデータに従って映像を作成し、作成した映像を液晶表示装置５により表示する。
【００７０】
また、サブＣＰＵ８１、ＤＳＰ８８、オーディオＲＡＭ８９、Ａ／Ｄ変換器９０及びアンプ９１は、演出内容により指定されたサウンドデータに従ってＢＧＭ等の音をスピーカ２１Ｌ、２１Ｒにより出力する。また、サブＣＰＵ８１は、演出内容により指定されたランプデータに従ってランプ２９の点灯及び消灯を行う。
【００７１】
パチスロが備える回路の構成についての説明は以上である。次に、図１０〜図１６を参照して、メインＲＯＭ３２に記憶されている各種データテーブルの構成について説明する。
【００７２】
＜メインＲＯＭに記憶されているデータテーブルの構成＞
図１０を参照して、図柄配置テーブルについて説明する。図柄配置テーブルは、各リール３Ｌ、３Ｃ、３Ｒの回転方向における各図柄の位置と、各位置に配された図柄の種類を特定するデータ（以下、図柄コード）とを規定している。
【００７３】
図柄配置テーブルは、リールインデックスが検出されるときに表示窓内の中段に存在する図柄の位置を「０」として、リール３Ｌ、３Ｃ、３Ｒの回転方向に進む順に、各図柄の位置に対して「０」〜「２０」をそれぞれ割り当てている。したがって、リールインデックスが検出されてから図柄何個分の回転が行われたかを管理しつつ、図柄配置テーブルを参照することによって、主として表示窓の中段に存在する図柄の位置及びその図柄の種類を常に管理することが可能となっている。
【００７４】
図１１を参照して、図柄組合せテーブルについて説明する。本実施の形態では、入賞判定ラインに沿って各リール３Ｌ、３Ｃ、３Ｒにより表示される図柄の組合せが、図柄組合せテーブルにより規定されている図柄の組合せと一致する場合に、入賞と判定され、メダルの払い出し、再遊技の作動、ボーナスゲームの作動といった特典が遊技者に対して与えられる。
【００７５】
図柄組合せテーブルは、特典の種類に応じて予め定められた図柄の組合せと、表示役と、払出枚数とを規定している。表示役は、入賞判定ラインに沿って表示された図柄の組合せを識別するデータである。
【００７６】
表示役は、各ビットに対して固有の図柄の組合せが割り当てられた１バイトのデータとして表される。例えば、各リールの図柄「ベル」が入賞判定ラインに沿って表示されたとき、表示役として「ベル（００００００１０）」が決定される。
【００７７】
また、払出枚数として１以上の数値が決定された場合、メダルの払い出しが行われる。本実施の形態では、表示役としてチェリー、ベル又はスイカが決定されたときメダルの払い出しが行われる。また、払出枚数は、投入枚数に応じて規定されており、基本的に投入枚数が少ないときの方がより多くの払出枚数が決定される。
【００７８】
また、表示役としてリプレイが決定されたとき、再遊技の作動が行われる。表示役としてＢＢが決定されたとき、ボーナスの作動が行われる。尚、入賞判定ラインに沿って表示された図柄の組合せが、図柄組合せテーブルにより規定されている図柄の組合せの何れとも一致しない場合には、いわゆる「ハズレ」となる。
【００７９】
図１２を参照して、ボーナス作動時テーブルについて説明する。ボーナス作動時テーブルは、ボーナスの作動が行われるときに、メインＲＡＭ３３に設けられた各種格納領域に格納するデータを規定している。
【００８０】
作動中フラグは、作動が行われるボーナスの種類を識別するためのデータである。本実施の形態では、ボーナスの種類としてＢＢ（第１種特別役物に係る役物連続作動装置）及びＲＢ（第１種特別役物）を設けている。ＲＢの作動は、ＢＢの作動が行われている間、連続的に行われる。
【００８１】
ＢＢの作動は、規定枚数に達するメダルの払い出しが行われた場合に終了する。ＲＢの作動は、規定回数に達する遊技が行われた場合、規定回数に達する入賞が有った場合、又は、ＢＢの作動が終了した場合の何れかによって終了する。ボーナス終了枚数カウンタ、遊技可能回数カウンタ及び入賞可能回数カウンタは、ボーナスの終了契機となる上記規定枚数或いは上記規定回数に達したか否かを管理するためのデータである。
【００８２】
より具体的には、ボーナス作動時テーブルにより規定されている数値が上記各カウンタに格納され、ボーナスの作動を通じてその減算が行われていく。その結果、各カウンタの値が「０」に更新されたことを条件に該当ボーナスの作動が終了する。
【００８３】
図１３及び図１４を参照して、内部抽籤テーブルについて説明する。内部抽籤テーブルは、当籤番号に応じて、データポインタと抽籤値とを規定している。データポインタは、内部抽籤テーブルを参照して行う抽籤の結果として取得されるデータであり、後述の内部当籤役決定テーブルにより規定されている内部当籤役を指定するためのデータである。データポインタには、小役・リプレイ用データポインタ及びボーナス用データポインタが設けられている。
【００８４】
本実施の形態では、予め定められた数値の範囲「０〜６５５３５」から抽出される乱数値を、各当籤番号に応じた抽籤値で順次減算し、減算の結果が負となったか否か（いわゆる「桁かり」が生じたか否か）の判定を行うことによって内部的な抽籤が行われる。
【００８５】
したがって、抽籤値として規定されている数値が大きいほど、これが割り当てられたデータ（つまり、データポインタ）が決定される確率が高い。尚、各当籤番号の当籤確率は、「各当籤番号に対応する抽籤値／抽出される可能性のある全ての乱数値の個数（６５５３６）」によって表すことができる。
【００８６】
図１３は、一般遊技状態用内部抽籤テーブルを示す。図１４は、ＲＢ作動中用内部抽籤テーブルを示す。本実施の形態では、ボーナスの作動が行われているか否かといった状況に応じて、複数種類の内部抽籤テーブルを使い分けることにより、決定される内部当籤役の種類や当籤確率を変動させ、この結果、遊技者が抱く期待に起伏が生じるようにしている。
【００８７】
図１５及び図１６を参照して、内部当籤役決定テーブルについて説明する。内部当籤役決定テーブルは、データポインタに応じて内部当籤役を規定している。データポインタが決定されると、内部当籤役が一義的に取得される構成となっている。
【００８８】
内部当籤役は、入賞判定ラインに沿って表示を許可する各リールの図柄の組合せを識別するデータである。内部当籤役は、表示役と同様に、各ビットに対して固有の図柄の組合せが割り当てられた１バイトのデータとして表される。尚、データポインタが「０」のとき、内部当籤役の内容は「ハズレ」となるが、これは前述の図柄組合せテーブルにより規定されている図柄の組合せの表示が何れも許可されないことを示す。
【００８９】
図１５は、小役・リプレイ用内部当籤役決定テーブルを示す。小役・リプレイ用内部当籤役決定テーブルは、メダルの払い出しに係る内部当籤役又は再遊技の作動に係る内部当籤役を規定している。図１６は、ボーナス用内部当籤役決定テーブルを示す。ボーナス用内部当籤役決定テーブルは、ボーナスの作動に係る内部当籤役を規定している。
【００９０】
メインＲＯＭ３２に記憶されているデータテーブルの内容についての説明は以上である。次に、図１７〜図１９を参照して、メインＲＡＭ３３に設けられている各種格納領域の構成について説明する。
【００９１】
＜メインＲＡＭに記憶されているデータテーブルの構成＞
図１７を参照して、内部当籤役格納領域の構成について説明する。内部当籤役格納領域は、前述の１バイトのデータにより表される内部当籤役を格納する。ビットに「１」が立っているとき、該当する図柄の組合せの表示が許可される。尚、全ビットが「０」であるとき、その内容はハズレとなる。
【００９２】
尚、メインＲＡＭ３３には、前述の表示役が格納される表示役格納領域が設けられている。表示役格納領域の構成は、内部当籤役格納領域の構成と同様となっている。ビットに「１」が立っているとき、該当する図柄の組合せが入賞判定ラインに沿って表示されたことになる。
【００９３】
図１８を参照して、持越役格納領域の構成について説明する。
【００９４】
前述の抽籤の結果、ボーナスの作動に係る内部当籤役が決定されたときは、これが持越役格納領域に格納される。持越役格納領域に格納されたボーナスの作動に係る内部当籤役（以下、持越役）は、対応する図柄の組合せが入賞判定ラインに表示されるまで、その内容がクリアされずに保持される構成となっている。そして、持越役格納領域に持越役が格納されている間は、前述の抽籤の結果にかかわらず、これが内部当籤役格納領域に格納される。
【００９５】
図１９を参照して、作動中フラグ格納領域の構成について説明する。
【００９６】
作動中フラグ格納領域は、１バイトからなる作動中フラグを格納する。作動中フラグは、各ビットに対して固有のボーナスが割り当てられている。ビットに「１」が立っているとき、該当するボーナスの作動が行われている。尚、全ビットが「０」であるときの状態を一般遊技状態と定義する。
【００９７】
メインＲＡＭ３３に設けられる各種格納領域の構成についての説明は以上である。次に、図２０〜図２６を参照して、主制御回路のメインＣＰＵ３１により実行されるプログラムの内容について説明する。
【００９８】
＜主制御回路のメインＣＰＵの制御によるメインフローチャート＞
まず、図２０を参照して、メインＣＰＵ３１の制御によるメインフローチャートについて説明する。パチスロ１に電源が投入されると、はじめに、メインＣＰＵ３１は、初期化処理を行う（ステップＳ１）。次に、メインＣＰＵ３１は、メインＲＡＭ３３における指定格納領域のクリアを行う（ステップＳ２）。例えば、内部当籤役格納領域や表示役格納領域等（図１７参照）、１回の遊技ごとに消去が必要となる格納領域に格納されたデータがクリアされる。
【００９９】
次に、メインＣＰＵ３１は、後で図２１を参照して説明するメダル受付・スタートチェック処理を行う（ステップＳ３）。この処理では、メダルセンサ２２Ｓやスタートスイッチ６Ｓの入力のチェック等が行われる。
【０１００】
次に、メインＣＰＵ３１は、乱数値を抽出し、メインＲＡＭ３３に設けられた乱数値格納領域に格納する（ステップＳ４）。次に、メインＣＰＵ３１は、後で図２２を参照して説明する内部抽籤処理を行う（ステップＳ５）。この処理では、乱数値に基づいた抽籤により内部当籤役の決定が行われる。次に、メインＣＰＵ３１は、スタートコマンドを副制御回路７２に対して送信する（ステップＳ６）。スタートコマンドは、内部当籤役等を特定するパラメータを含んで構成される。
【０１０１】
次に、メインＣＰＵ３１は、全メインリール３Ｌ、３Ｃ、３Ｒの回転開始を要求する（ステップＳ７）。尚、全メインリール３Ｌ、３Ｃ、３Ｒの回転開始が要求されると、一定の周期（１．１１７３ｍｓｅｃ）で実行される割込処理（後述の図２６）によってステッピングモータ４９Ｌ、４９Ｃ、４９Ｒの駆動が制御され、各リール３Ｌ、３Ｃ、３Ｒの回転が開始される。
【０１０２】
次に、メインＣＰＵ３１は、後で図２３を参照して説明するリール停止制御処理を行う（ステップＳ８）。この処理では、ストップスイッチ７Ｓの入力のチェックが行われ、ストップボタン７Ｌ、７Ｃ、７Ｒが押されたタイミングと内部当籤役とに基づいて該当リール３Ｌ、３Ｃ、３Ｒの回転が停止される。
【０１０３】
次に、メインＣＰＵ３１は、入賞判定ラインに沿って表示された図柄の組合せを検索し、その結果に基づいて払出枚数等を決定する（ステップＳ９）。検索の結果、入賞判定ラインに沿って表示された図柄の組合せが図柄組合せテーブル（図１１参照）により規定されている図柄の組合せと一致する場合、対応する表示役及び払出枚数が決定される。次に、メインＣＰＵ３１は、表示コマンドを副制御回路７２に対して送信する（ステップＳ１０）。表示コマンドは、表示役や払出枚数等を特定するパラメータを含んで構成される。
【０１０４】
次に、メインＣＰＵ３１は、メダル払出処理を行う（ステップＳ１１）。決定された払出枚数に基づいて、ホッパー４０の駆動やクレジット枚数の更新が行われる。次に、メインＣＰＵ３１は、払出枚数に基づいて、ボーナス終了枚数カウンタを更新する（ステップＳ１２）。払出枚数として決定された数値がボーナス終了枚数カウンタから減算される。
【０１０５】
次に、メインＣＰＵ３１は、ボーナス作動中フラグがオンであるか否かを判別する（ステップＳ１３）。メインＣＰＵ３１は、ボーナス作動中フラグがオンであると判別したときには（ステップＳ１３：ＹＥＳ）、後で図２５を参照して説明するボーナス終了チェック処理を行う（ステップＳ１４）。ボーナスの終了契機を管理するための各種カウンタを参照して、ボーナスの作動を終了するか否かがチェックされる。
【０１０６】
メインＣＰＵ３１は、ステップＳ１４の後、又は、ステップＳ１３においてボーナス作動中フラグがオンではないと判別したときには（ステップＳ１３：ＮＯ）、後で図２４を参照して説明するボーナス作動チェック処理を行う（ステップＳ１５）。ボーナスの作動を開始するか否かがチェックされる。この処理が終了すると、ステップＳ２に移る。
【０１０７】
次に、図２１を参照して、メダル受付・スタートチェック処理について説明する。はじめに、メインＣＰＵ３１は、自動投入カウンタは０であるか否かを判別する（ステップＳ３１）。自動投入カウンタは０であると判別したときには（ステップＳ３１：ＹＥＳ）、メダル通過許可を行う（ステップＳ３２）。セレクタ２６のソレノイドの駆動が行われ、セレクタ２６内のメダルの通過が促される。
【０１０８】
メインＣＰＵ３１は、自動投入カウンタは０ではないと判別したときには（ステップＳ３１：ＮＯ）、自動投入カウンタを投入枚数カウンタに複写する（ステップＳ３３）。次に、メインＣＰＵ３１は、自動投入カウンタをクリアする（ステップＳ３４）。ステップＳ３３及びステップＳ３４は再遊技を行うための処理である。
【０１０９】
メインＣＰＵ３１は、ステップＳ３２又はステップＳ３４の後で、投入枚数カウンタの最大値として３をセットする（ステップＳ３５）。次に、メインＣＰＵ３１は、ボーナス作動中フラグがオンであるか否かを判別する（ステップＳ３６）。メインＣＰＵ３１は、ボーナス作動中フラグがオンであると判別したときには（ステップＳ３６：ＹＥＳ）、投入枚数カウンタの最大値を変更する（ステップＳ３７）。例えば、最大値が２に変更される。
【０１１０】
メインＣＰＵ３１は、ステップＳ３７の後、又は、ステップＳ３６においてボーナス作動中フラグがオンではないと判別したときには（ステップＳ３６：ＮＯ）、メダルの通過は検出されたか否かを判別する（ステップＳ３８）。メインＣＰＵ３１は、メダルの通過は検出されたと判別したときには（ステップＳ３８：ＹＥＳ）、投入枚数カウンタは最大値に達したか否かを判別する（ステップＳ３９）。メインＣＰＵ３１は、投入枚数カウンタは最大値に達していないと判別したときには（ステップＳ３９：ＮＯ）、投入枚数カウンタを１加算する（ステップＳ４０）。次に、メインＣＰＵ３１は、有効ラインカウンタに５を格納する（ステップＳ４１）。次に、メインＣＰＵ３１は、メダル投入コマンドを副制御回路７２に対して送信する（ステップＳ４２）。メダル投入コマンドは、投入枚数等を特定するためのパラメータを含んで構成されている。
【０１１１】
メインＣＰＵ３１は、ステップＳ３９において投入枚数カウンタは最大値であると判別したときには（ステップＳ３９：ＹＥＳ）、クレジットカウンタを１加算する（ステップＳ４３）。メインＣＰＵ３１は、ステップＳ４３の後、ステップＳ４２の後、又は、ステップＳ３８においてメダルの通過が検出されていないと判別したときには（ステップＳ３８：ＮＯ）、ベットスイッチ１２Ｓのチェックを行う（ステップＳ４４）。ベットボタン１２に対応する数値が投入枚数カウンタに加算される一方でクレジットカウンタから減算される。
【０１１２】
次に、メインＣＰＵ３１は、投入枚数カウンタは最大値に達したか否かを判別する（ステップＳ４５）。投入枚数カウンタは最大値に達していないと判別したときには（ステップＳ４５：ＮＯ）、ステップＳ３８に移る一方で、投入枚数カウンタは最大値に達したと判別したときには（ステップＳ４５：ＹＥＳ）、スタートスイッチ６Ｓはオンであるか否かを判別する（ステップＳ４６）。
【０１１３】
メインＣＰＵ３１は、スタートスイッチ６Ｓはオンではないと判別したときには（ステップＳ４６：ＮＯ）、ステップＳ３８に移る一方で、スタートスイッチ６Ｓはオンであると判別したときには（ステップＳ４６：ＹＥＳ）、メダル通過禁止を行う（ステップＳ４７）。セレクタ２６のソレノイドの駆動が行われず、メダルの排出が促される。この処理が終了すると、メダル受付・スタートチェック処理を終了する。
【０１１４】
次に、図２２を参照して、内部抽籤処理について説明する。はじめに、メインＣＰＵ３１は、内部抽籤テーブル（図１３、図１４参照）及び抽籤回数を決定する（ステップＳ６１）。作動中フラグ格納領域（図１９参照）が参照され、ボーナスの作動の有無等に応じて、内部抽籤テーブル（図１３、図１４参照）及び抽籤回数が決定される。尚、抽籤回数は、内部抽籤テーブル（図１３、図１４参照）により規定された各当籤番号について、抽籤値の減算及び桁かりが生じたか否かの判定を行う回数を示す。
【０１１５】
次に、メインＣＰＵ３１は、乱数値格納領域に格納されている乱数値を取得し、判定用乱数値としてセットする（ステップＳ６２）。次に、メインＣＰＵ３１は、当籤番号の初期値として１をセットする（ステップＳ６３）。
【０１１６】
次に、メインＣＰＵ３１は、内部抽籤テーブル（図１３、図１４参照）を参照し、当籤番号に対応する抽籤値を取得する（ステップＳ６４）。次に、メインＣＰＵ３１は、判定用乱数値から抽籤値を減算する（ステップＳ６５）。次に、メインＣＰＵ３１は、桁かりが行われたか否かを判別する（ステップＳ６６）。メインＣＰＵ３１は、桁かりが行われていないと判別したときには（ステップＳ６６：ＮＯ）、抽籤回数を１減算し、当籤番号を１加算する（ステップＳ６７）。
【０１１７】
次に、メインＣＰＵ３１は、抽籤回数は０であるか否かを判別する（ステップＳ６８）。メインＣＰＵ３１は、抽籤回数は０ではないと判別したときには（ステップＳ６８：ＮＯ）、ステップＳ６４に移る一方で、抽籤回数は０であると判別したときには（ステップＳ６８：ＹＥＳ）、小役・リプレイ用データポインタとして０をセットし、ボーナス用データポインタとして０をセットする（ステップＳ６９）。
【０１１８】
メインＣＰＵ３１は、ステップＳ６６において桁かりが行われたと判別したときには（ステップＳ６６：ＹＥＳ）、現在の当籤番号に応じて、小役・リプレイ用データポインタ及びボーナス用データポインタを取得する（ステップＳ７０）。メインＣＰＵ３１は、ステップＳ７０又はステップＳ６９の後で、小役・リプレイ用内部当籤役決定テーブル（図１５参照）を参照し、小役・リプレイ用データポインタに基づいて内部当籤役を取得する（ステップＳ７１）。
【０１１９】
次に、メインＣＰＵ３１は、取得した内部当籤役を内部当籤役格納領域（図１７参照）に格納する（ステップＳ７２）。次に、メインＣＰＵ３１は、持越役格納領域（図１８参照）に格納されているデータは０であるか否かを判別する（ステップＳ７３）。メインＣＰＵ３１は、持越役格納領域（図１８参照）に格納されているデータは０であると判別したときは（ステップＳ７３：ＹＥＳ）、ボーナス用内部当籤役決定テーブル（図１６参照）を参照し、ボーナス用データポインタに基づいて内部当籤役を取得する（ステップＳ７４）。次に、メインＣＰＵ３１は、取得した内部当籤役を持越役格納領域（図１８参照）に格納する（ステップＳ７５）。
【０１２０】
メインＣＰＵ３１は、ステップＳ７５の後、又は、ステップＳ７３において持越役格納領域（図１８参照）に格納されているデータは０ではないと判別したときには（ステップＳ７３：ＮＯ）、持越役格納領域（図１８参照）と内部当籤役格納領域（図１７参照）との論理和をとり、その結果を内部当籤役格納領域（図１７参照）に格納する（ステップＳ７６）。つまり、ボーナスの作動に係る内部当籤役の持ち越しが行われる。この処理が終了すると、内部抽籤処理を終了する。
【０１２１】
次に、図２３を参照して、リール停止制御処理について説明する。はじめに、メインＣＰＵ３１は、有効なストップボタン７Ｌ、７Ｃ、７Ｒが押されたか否かを判別する（ステップＳ１０１）。メインＣＰＵ３１は、有効なストップボタン７Ｌ、７Ｃ、７Ｒが押されていないと判別したときには（ステップＳ１０１：ＮＯ）、これが押されるまで待機する。
【０１２２】
メインＣＰＵ３１は、有効なストップボタン７Ｌ、７Ｃ、７Ｒが押されたと判別したときには（ステップＳ１０１：ＹＥＳ）、該当ストップボタン７Ｌ、７Ｃ、７Ｒの操作を無効化する（ステップＳ１０２）。各ストップボタン７Ｌ、７Ｃ、７Ｒの有効及び無効の状態は、メインＲＡＭ３３に設けられた所定の格納領域において管理される。
【０１２３】
次に、メインＣＰＵ３１は、チェック回数として５をセットする（ステップＳ１０３）。本実施の形態では、滑り駒数の最大数を「４」としていることから、ストップボタン７Ｌ、７Ｃ、７Ｒが押されたときに該当表示窓４Ｌ、４Ｃ、４Ｒの中段にある図柄の位置を含め、そこから４個先の図柄の位置までがチェックの対象となる。つまり、「０」、「１」、「２」、「３」及び「４」の５つの数値の何れかが滑り駒数として決定される。
【０１２４】
次に、メインＣＰＵ３１は、内部当籤役に基づいて、ストップボタン７Ｌ、７Ｃ、７Ｒが押されたときに該当表示窓４Ｌ、４Ｃ、４Ｒの中段にある図柄の位置（以下、停止開始位置）を含めたチェック回数の範囲内にある各図柄の位置の中で、最も優先順位の高い図柄の位置を検索する（ステップＳ１０４）。この処理では、内部当籤役によって表示が許可されている図柄の組合せを、入賞判定ライン（８ａ〜８ｅ）に沿って表示することが可能となる図柄の位置が、最も優先順位の高い図柄の位置として決定される。
【０１２５】
次に、メインＣＰＵ３１は、検索の結果に基づいて滑り駒数を決定する（ステップＳ１０５）。停止開始位置から上記最も優先順位の高い図柄の位置までの図柄の個数が滑り駒数として決定される。次に、メインＣＰＵ３１は、停止予定位置待ちへ移行する（ステップＳ１０６）。停止予定位置待ちへ移行すると、後述の割込処理によってステッピングモータ４９Ｌ、４９Ｃ、４９Ｒの駆動が制御され、最も優先順位の高い図柄の位置が該当表示窓の中段に到達するのを待って該当リール３Ｌ、３Ｃ、３Ｒの回転が停止される。
【０１２６】
次に、メインＣＰＵ３１は、リール停止コマンドを副制御回路に対して送信する（ステップＳ１０７）。リール停止コマンドは、停止したリール３Ｌ、３Ｃ、３Ｒの種別等を特定するパラメータを含んで構成されている。
【０１２７】
次に、メインＣＰＵ３１は、操作が有効なストップボタン７Ｌ、７Ｃ、７Ｒがあるか否かを判別する（ステップＳ１０８）。つまり、まだ回転中のリール３Ｌ、３Ｃ、３Ｒがあるか否かが判別される。メインＣＰＵ３１は、操作が有効なストップボタン７Ｌ、７Ｃ、７Ｒがあると判別したときには（ステップＳ１０８：ＹＥＳ）、Ｓ１０１に移る一方で、操作が有効なストップボタン７Ｌ、７Ｃ、７Ｒがないと判別したときには（ステップＳ１０８：ＮＯ）、リール停止制御処理を終了する。
【０１２８】
次に、図２４を参照して、ボーナス作動チェック処理について説明する。はじめに、メインＣＰＵ３１は、表示役はＢＢであるか否かを判別する（ステップＳ１２１）。メインＣＰＵ３１は、表示役はＢＢであると判別したときには（ステップＳ１２１：ＹＥＳ）、ボーナス作動時テーブル（図１２参照）を参照し、ＢＢ作動時処理を行う（ステップＳ１２２）。この処理では、ＢＢ作動中フラグがオンにされ、ボーナス終了枚数カウンタに所定値がセットされる。
【０１２９】
次に、メインＣＰＵ３１は、持越役格納領域（図１８参照）をクリアする（ステップＳ１２３）。次に、メインＣＰＵ３１は、ボーナス開始コマンドを副制御回路７２に対して送信する（ステップＳ１２４）。この処理が終了すると、ボーナス作動チェック処理を終了する。
【０１３０】
メインＣＰＵ３１は、ステップＳ１２１において表示役はＢＢではないと判別したときには（ステップＳ１２１：ＮＯ）、表示役はリプレイであるか否かを判別する（ステップＳ１２５）。メインＣＰＵ３１は、表示役はリプレイであると判別したときには（ステップＳ１２５：ＹＥＳ）、投入枚数カウンタの値を自動投入カウンタに複写する（ステップＳ１２６）。
【０１３１】
メインＣＰＵ３１は、ステップＳ１２５において表示役はリプレイではないと判別したときには（ステップＳ１２５：ＮＯ）、ＢＢ作動中フラグはオンであるか否かを判別する（ステップＳ１２７）。メインＣＰＵ３１は、ＢＢ作動中フラグはオンではないと判別したときには（ステップＳ１２７：ＮＯ）、ボーナス作動チェック処理を終了する一方で、ＢＢ作動中フラグはオンであると判別したときには（ステップＳ１２７：ＹＥＳ）、ＲＢ作動中フラグはオンであるか否かを判別する（ステップＳ１２８）。
【０１３２】
メインＣＰＵ３１は、ＲＢ作動中フラグはオンであると判別したときには（ステップＳ１２８：ＹＥＳ）、ボーナス作動チェック処理を終了する一方で、ＲＢ作動中フラグはオンではないと判別したときには（ステップＳ１２８：ＮＯ）、ボーナス作動時テーブル（図１２参照）を参照し、ＲＢ作動時処理を行う（ステップＳ１２９）。この処理では、ＲＢ作動中フラグがオンにされ、入賞可能回数カウンタ及び遊技可能回数カウンタに所定値がセットされる。この処理が終了すると、ボーナス作動チェック処理を終了する。
【０１３３】
次に、図２５を参照して、ボーナス終了チェック処理について説明する。はじめに、メインＣＰＵ３１は、ボーナス終了枚数カウンタは０であるか否かを判別する（ステップＳ１４１）。メインＣＰＵ３１は、ボーナス終了枚数カウンタは０であると判別したときには（ステップＳ１４１：ＹＥＳ）、ＢＢ終了時処理を行う（ステップＳ１４２）。この処理では、ＢＢ作動中フラグ及びＲＢ作動中フラグがオフされ、ボーナスの終了契機を管理するための各種カウンタがクリアされる。次に、メインＣＰＵ３１は、ボーナス終了コマンドを副制御回路７２に対して送信する（ステップＳ１４３）。この処理が終了すると、ボーナス終了チェック処理を終了する。
【０１３４】
メインＣＰＵは、Ｓ１４１においてボーナス終了枚数カウンタは０ではないと判別したときには（ステップＳ１４１：ＮＯ）、入賞可能回数カウンタ又は遊技可能回数カウンタを更新する（ステップＳ１４４）。遊技可能回数カウンタが１減算され、また、入賞が有った場合に入賞可能回数カウンタが１減算される。次に、メインＣＰＵ３１は、入賞可能回数カウンタ又は遊技可能回数カウンタは０であるか否かを判別する（ステップＳ１４５）。
【０１３５】
メインＣＰＵ３１は、入賞可能回数カウンタ又は遊技可能回数カウンタは０ではないと判別したときには（ステップＳ１４５：ＮＯ）、ボーナス終了チェック処理を終了する一方で、入賞可能回数カウンタ又は遊技可能回数カウンタは０であると判別したときには（ステップＳ１４５：ＹＥＳ）、ＲＢ終了時処理を行う（ステップＳ１４６）。この処理では、ＲＢ作動中フラグがオフされ、入賞可能回数カウンタ及び遊技可能回数カウンタがクリアされる。この処理が終了すると、ボーナス終了チェック処理を終了する。
【０１３６】
次に、図２６を参照して、メインＣＰＵ３１の制御による割込処理（１．１１７３ｍｓｅｃ）について説明する。はじめに、メインＣＰＵ３１は、レジスタの退避を行う（ステップＳ１６１）。次に、メインＣＰＵ３１は、入力ポートチェック処理を行う（ステップＳ１６２）。この処理では、ストップスイッチ７Ｓ等の各種スイッチから入力される信号がチェックされる。
【０１３７】
次に、メインＣＰＵ３１は、リール制御処理を行う（ステップＳ１６３）。この処理では、全リール３Ｌ、３Ｃ、３Ｒの回転開始が要求されたときに、各リール３Ｌ、３Ｃ、３Ｒの回転を開始し、その後一定速度での回転を行うよう、ステッピングモータ４９Ｌ、４９Ｃ、４９Ｒの駆動が制御される。また、滑り駒数が決定されたときは、該当リール３Ｌ、３Ｃ、３Ｒの回転が滑り駒数分継続するのを待ってその回転の減速及び停止を行うよう、ステッピングモータ４９Ｌ、４９Ｃ、４９Ｒの駆動が制御される。
【０１３８】
次に、メインＣＰＵ３１は、ランプ・７セグ駆動処理を行う（ステップＳ１６４）。次に、メインＣＰＵ３１は、レジスタの復帰を行う（ステップＳ１６５）。この処理が終了すると、割込処理を終了する。
【０１３９】
主制御回路のメインＣＰＵ３１により実行されるプログラムの内容についての説明は以上である。
【０１４０】
以上、本発明の実施形態を説明したが、具体例を示したに過ぎず、特に本発明を限定するものではなく、各手段等の具体的構成は、適宜設計変更が可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【０１４１】
【図１】本発明の実施形態に係るパチスロの機能フローの説明図である。
【図２】本発明の実施形態に係るパチスロの操作パネルを示す模式図である。
【図３】（ａ）本発明の実施形態に係るパチスロのストップボタンの断面を示す模式図である。（ｂ）本発明の実施形態に係るパチスロのストップボタンを正面から見た模式図である。
【図４】本発明の実施形態に係るパチスロのストップボタンの断面を示す模式図である。
【図５】ａ）本発明の実施形態に係るパチスロのストップボタンの断面を示す模式図である。（ｂ）本発明の実施形態に係るパチスロのストップボタンを正面から見た模式図である。
【図６】ａ）本発明の実施形態に係るパチスロのストップボタンの断面を示す模式図である。（ｂ）本発明の実施形態に係るパチスロのストップボタンを正面から見た模式図である。
【図７】本発明の実施例に係るパチスロの外部構造を示す説明図である。
【図８】本発明の実施例に係るパチスロの主制御回路の構成を示す説明図である。
【図９】本発明の実施例に係るパチスロの副制御回路の構成を示す説明図である。
【図１０】本発明の実施例に係るパチスロのデータテーブルの構成を示す図である。
【図１１】本発明の実施例に係るパチスロのデータテーブルの構成を示す図である。
【図１２】本発明の実施例に係るパチスロのデータテーブルの構成を示す図である。
【図１３】本発明の実施例に係るパチスロのデータテーブルの構成を示す図である。
【図１４】本発明の実施例に係るパチスロのデータテーブルの構成を示す図である。
【図１５】本発明の実施例に係るパチスロのデータテーブルの構成を示す図である。
【図１６】本発明の実施例に係るパチスロのデータテーブルの構成を示す図である。
【図１７】本発明の実施例に係るパチスロのデータテーブルの構成を示す図である。
【図１８】本発明の実施例に係るパチスロのデータテーブルの構成を示す図である。
【図１９】本発明の実施例に係るパチスロのデータテーブルの構成を示す図である。
【図２０】本発明の実施例に係るパチスロのメインプログラムの処理を示すフロー図である。
【図２１】本発明の実施例に係るパチスロのサブルーチンの処理を示すフロー図である。
【図２２】本発明の実施例に係るパチスロのサブルーチンの処理を示すフロー図である。
【図２３】本発明の実施例に係るパチスロのサブルーチンの処理を示すフロー図である。
【図２４】本発明の実施例に係るパチスロのサブルーチンの処理を示すフロー図である。
【図２５】本発明の実施例に係るパチスロのサブルーチンの処理を示すフロー図である。
【図２６】本発明の実施例に係るパチスロのサブルーチンの処理を示すフロー図である。
【符号の説明】
【０１４２】
１    パチスロ
３Ｌ    リール
３Ｃ    リール
３Ｒ    リール
６    スタートレバー
７Ｌ    ストップボタン
７Ｃ    ストップボタン
７Ｒ    ストップボタン
３１    メインＣＰＵ
３３    メインＲＡＭ
６０    筐体
６１    ボタン
６２    シリンダー
６４    支持部材
６５    装着面
６６    弾性体
６８    スライド溝
６９    鍔部
【図１】
2009261708.tif 000003
【図２】
2009261708.tif 000004
【図３】
2009261708.tif 000005
【図４】
2009261708.tif 000006
【図５】
2009261708.tif 000007
【図６】
2009261708.tif 000008
【図７】
2009261708.tif 000009
【図８】
2009261708.tif 000010
【図９】
2009261708.tif 000011
【図１０】
2009261708.tif 000012
【図１１】
2009261708.tif 000013
【図１２】
2009261708.tif 000014
【図１３】
2009261708.tif 000015
【図１４】
2009261708.tif 000016
【図１５】
2009261708.tif 000017
【図１６】
2009261708.tif 000018
【図１７】
2009261708.tif 000019
【図１８】
2009261708.tif 000020
【図１９】
2009261708.tif 000021
【図２０】
2009261708.tif 000022
【図２１】
2009261708.tif 000023
【図２２】
2009261708.tif 000024
【図２３】
2009261708.tif 000025
【図２４】
2009261708.tif 000026
【図２５】
2009261708.tif 000027
【図２６】
2009261708.tif 000028